(57)【特許請求の範囲】
【請求項１】
外周面に図柄の表された第１リールおよび第２リールを収納可能なリールユニットを備える遊技機であって、
前記第１リールと、前記第１リールを回転駆動させる第１モータと、を少なくとも備え、前記リールユニットの左右方向一側端に配置される第１リールモジュールと、
前記第２リールと、前記第２リールを回転駆動させる第２モータと、を少なくとも備え、前記第１リールモジュールの隣に配置される第２リールモジュールと、
前記第１リールモジュールから延びる複数種類の配線ケーブルのうち所定の種類の配線ケーブルである第１配線ケーブルと、
前記第２リールモジュールから延びる複数種類の配線ケーブルのうち前記所定の種類に対応する種類の配線ケーブルである第２配線ケーブルと、
前記第１リールモジュールにおける左右方向一側寄りに設けられ、前記第１配線ケーブルが引き出される第１配線引出部と、
前記第２リールモジュールにおける左右方向一側寄りに設けられ、前記第２配線ケーブルが引き出される第２配線引出部と、
前記第１配線ケーブルが接続される一の第１コネクタと、前記第２配線ケーブルが接続される一の第２コネクタとを有し、前記リールユニットの上方に配置される基板と、を備え、
前記第１配線ケーブルと前記第２配線ケーブルは共通の長さのケーブルであり、
前記第１コネクタおよび前記第２コネクタが、前記リールユニットの左右方向一側端寄りであって、前記第１リールモジュールの横幅よりも狭い範囲に集約して配置されるとともに、
前記第１コネクタと前記第１配線引出部との距離よりも、前記第２コネクタと前記第２配線引出部との距離が短くなるように配置される
ことを特徴とする遊技機。
【請求項２】
前記第１コネクタおよび前記第２コネクタは、
前記リールユニットに収納された状態の前記第１リールモジュールおよび第２リールモジュールの並び方向に沿うとともにその並びに従った順序で配置された
ことを特徴とする請求項１記載の遊技機。
【請求項３】
前記リールユニットの上部には、前記リールユニットを取り扱うときに使用する把手部が備えられる
ことを特徴とする請求項１又は２記載の遊技機。
【請求項４】
前記複数のリールモジュールを水平方向に積層させて収納可能な収納ラックと、
前記基板が取り付けられる基板カバーと、
を備える
ことを特徴とする請求項１〜３のいずれか一項に記載の遊技機。
【発明の詳細な説明】
【技術分野】
【０００１】
本発明は、遊技機に関し、特に、外周面に図柄の表された複数のリールを収納するリールユニットを備える遊技機に関する。
【背景技術】
【０００２】
スロットマシン、パチンコ機などの遊技機には、外周面に図柄の表された複数のリールの収納されたリールユニットを備えるものがある。
例えば、スロットマシンは、遊技者が遊技媒体となる遊技用のメダル（コイン）や遊技球（パチンコ球）を投入してスタートレバーを押下操作することにより、外周面に所定の絵柄や数字，文字等の図柄が表された複数のリール（通常３個のリール）が回転を開始し、定速回転後、任意のタイミングで停止ボタンが押されることでリールが停止し、停止したリール上の図柄の組合せに応じて所定数の遊技媒体が払い出されるように構成され、このような複数のリールは、一体的にユニット化されたリールユニットに収納されている。
【０００３】
リールユニットには、通常、リールと、リールを回転駆動させるモータと、これらを支持するベース板とを備えるリールモジュールが、水平方向に積層された状態で複数収納されている。また、複数のリールモジュールを収納する収納ラックには、基板が装着され、この基板には、各リールモジュールから延びる配線ケーブルと接続されるコネクタが実装されている（例えば、特許文献１参照）。
【先行技術文献】
【特許文献】
【０００４】
【特許文献１】特開２００６−３０５２９８号公報
【発明の概要】
【課題を解決するための手段】
【０００８】
上記目的を達成するため、本発明の遊技機は、
外周面に図柄の表された第１リールおよび第２リールを収納可能なリールユニットを備える遊技機であって、前記第１リールと、前記第１リールを回転駆動させる第１モータと、を少なくとも備え、前記リールユニットの左右方向一側端に配置される第１リールモジュールと、前記第２リールと、前記第２リールを回転駆動させる第２モータと、を少なくとも備え、前記第１リールモジュールの隣に配置される第２リールモジュールと、前記第１リールモジュールから延びる複数種類の配線ケーブルのうち所定の種類の配線ケーブルである第１配線ケーブルと、前記第２リールモジュールから延びる複数種類の配線ケーブルのうち前記所定の種類に対応する種類の配線ケーブルである第２配線ケーブルと、前記第１リールモジュールにおける左右方向一側寄りに設けられ、前記第１配線ケーブルが引き出される第１配線引出部と、前記第２リールモジュールにおける左右方向一側寄りに設けられ、前記第２配線ケーブルが引き出される第２配線引出部と、前記第１配線ケーブルが接続される一の第１コネクタと、前記第２配線ケーブルが接続される一の第２コネクタとを有し、前記リールユニットの上方に配置される基板と、を備え、前記第１配線ケーブルと前記第２配線ケーブルは共通の長さのケーブルであり、前記第１コネクタおよび前記第２コネクタが、前記リールユニットの左右方向一側端寄りであって、前記第１リールモジュールの横幅よりも狭い範囲に集約して配置されるとともに、前記第１コネクタと前記第１配線引出部との距離よりも、前記第２コネクタと前記第２配線引出部との距離が短くなるように配置される構成としてある。
【図面の簡単な説明】
【００１０】
【図１】遊技機の概略正面図である。
【図２】遊技機の内部構成を示す概略斜視図である。
【図３】リールユニットの外観斜視図を示し、（ａ）は、前方から見た斜視図であり、（ｂ）は、後方から見た斜視図である。
【図４】リールユニットの分解斜視図である。
【図５】リールモジュールの分解斜視図である。
【図６】基板ユニットの分解斜視図である。
【図７】リールユニットの平面図である。
【発明を実施するための形態】
【００１１】
以下、本発明に係る遊技機の好ましい実施形態について、各図を参照して説明する。
リールユニットを備える遊技機には、スロットマシンをはじめ、パチンコ機など様々な種類があるが、本実施形態では、スロットマシンを実施例に挙げて説明する。
【００１２】
本実施形態のスロットマシン１は、複数のリールを回転させることによって遊技媒体であるメダルを獲得できる一般的な回胴式遊技機であるものの、内部に配置されるリールユニットは、各リールモジュールから引き出される配線ケーブルの長さを共通化しながらできる限り短くしてあるとともに、これらの配線ケーブルの接続される基板の面積をできる限り小さくしてある。
以下、このような作用効果を発揮する本実施形態に係るスロットマシン１の各部の構成について詳述する。
【００１３】
［スロットマシン本体］
図１は、スロットマシンの外観を示す概略正面図、図２は、スロットマシンの内部構成を示す概略斜視図である。
これらの図に示すように、本実施形態のスロットマシン１は、複数のリール４１ａ，４１ｂ，４１ｃを回転させることによって遊技媒体であるメダルを獲得することができる回胴式遊技機を構成している。
【００１４】
スロットマシン１は、正面側が開口した筐体１ｂと、筐体１ｂの正面側を開閉可能に覆う前扉１ａとで構成され、内部には、マイクロコンピュータ等で構成された制御部１０、制御部１０からの指令により、表示器８，スピーカ９，ＬＥＤ等のランプ類を制御する演出制御部２０、及び必要な機械，装置等が収納されている。
【００１５】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１６】
操作手段としては、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ上部には、効果音等が出力されるスピーカ９が設けられている。
【００１７】
筐体１ｂの中央には、リール４１ａ，４１ｂ，４１ｃ備えるリールユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００１８】
スロットマシン１では、上記の各操作手段からの信号やメダルセレクタ２ｂからの信号に基づき、制御部１０が、リールユニット４、メダル払出装置７などの各装置を制御することで、以下のようなスロットマシン遊技が進行する。
【００１９】
具体的には、遊技者によりメダル投入口２からメダルが投入されると、メダルがメダルセレクタ２ｂにより検出され、検出信号が制御部１０に入力される。また、ベットボタン２ａが操作された場合は、その検出信号が制御部１０に入力される。制御部１０は、これらの検出信号の入力数からゲーム可能なメダル数を監視するとともに、スタートレバー３の操作を監視する。
ゲーム可能なメダル数となったときに、スタートレバー３が操作されると、制御部１０は、リールユニット４に対して、各リール４１ａ，４１ｂ，４１ｃを回転させる制御を行う。
【００２０】
さらに、制御部１０は、スタートレバー３が操作されたときに、ボーナス役、小役、再遊技役、ハズレの複数の抽選対象の中から今回ゲームの当選対象を抽選する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００２１】
また、制御部１０は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００２２】
このように構成されたスロットマシン１において、各リール４１ａ，４１ｂ，４１ｃを個別に回転可能に軸支しながら収納する装置がリールユニット４であり、このリールユニット４は、収納状態にある複数のリールモジュール４０のうちの両端に位置するリールモジュール４０ａ，４０ｃに対応するそれぞれの配線引出部４６５ａ，４６５ｃから等しい距離となる等距離部４６６に、その中心がほぼ位置するように中継基板４７１が配置されるので、各配線ケーブルＫａ〜Ｋｃの長さを、両端に位置するリールモジュール４０ａ，４０ｃに対応するそれぞれの配線引出部４６５ａ，４６５ｃから等距離部４６６までの長さに合わせることで、各配線ケーブルＫａ〜Ｋｃの確実な接続を確保しながら、長さの共通化が図れるようになっている。
【００２３】
さらに、中継基板４７１をほぼ等距離部４６６に配置することで、配線引出部４６５の左右の片寄りを吸収するために、みだりにその面積を拡大する必要がなくなるので、コネクタの配置に必要不可欠な必要最小限の基板面積を、等距離部４６６を中心に確保することで、中継基板４７１のコンパクト化を図ることができるようになっている。
以下、本実施形態に係るリールユニット４について詳述する。
【００２４】
［リールユニット］
図３は、リールユニットの外観斜視図を示し、（ａ）は、前方から見た斜視図、（ｂ）は、後方から見た斜視図であり、図４は、リールユニットの分解斜視図である。また、図５は、リールモジュールの分解斜視図、図６は、基板ユニットの分解斜視図、図７は、リールユニットの平面図である。
これらの図に示すように、本実施形態に係るリールユニット４は、それぞれ一つずつリール４１を有する三つのリールモジュール４０（４０ａ，４０ｂ，４０ｃ）と、これらを収納する収納ラック４６と、基板ユニット４７とを備え、各リール４１をそれぞれ独立して回転制御可能に構成されている。
【００２５】
本実施形態のリールモジュール４０は、収納ラック４６の左端に収納される左リールモジュール４０ａと、中央に収納される中リールモジュール４０ｂと、右端に収納される右リールモジュール４０ｃと、からなる三つのリールモジュールからなり、収納ラック４６の開口部４６1から挿着されるようになっている。
リールモジュール４０は、図５に示すように、リール４１と、ベース板４２と、モータ４３（パルスモータ）と、光センサ４４（フォトインタラプタ）と、照明ユニット４５とから構成されている。
【００２６】
リール４１は、複数種類の図柄が表された帯状シート４１１と、帯状シート４１１を円筒状に保形する環状のリングフレーム４１２と、モータ４３に軸支されつつその縁端で帯状シート４１１を円筒状に保形するホイールフレーム４１３とから構成されている。
リール４１は、ネジ３を介して軸４３２に軸止されるホイールフレーム４１３がモータ４３によって駆動されて回転するとともに、ホイールフレーム４１３に形成された遮光板が光センサ４４の光路を遮ることで、その回転位置を検出できるようになっている。
【００２７】
照明ユニット４５は、帯状シート４１１と軸４３２との間に配置され、帯状シート４１１の後方から図柄を照らす発光装置であり、光源としてのＬＥＤの実装されたＬＥＤ基板４５２と、これを支持する基板ホルダー４５１から構成されている。
【００２８】
ベース板４２は、略板状に成形された合成樹脂からなり、モータ４３と、光センサ４４と、照明ユニット４５の取り付け部となっている。
具体的には、図５に示すように、ベース板４２には、その後方から挿入されるモータ４３がネジ２を介して固定されるとともに、同じく後方から挿入されるセンサ４４が所定の凹部に挿嵌されて固定されるようになっている。さらに、前方から照明ユニット４５がネジ４を介して固定されるようになっている。つまり、ベース板４２には、モータ４３と、光センサ４４と、照明ユニット４５が固定されているので、モータ４３に軸支されたリール４１もベース板４２が支えるようになっている。
このような構成から、ベース板４２は、収納ラック４６に収納された状態で、リールモジュール４０を直立不動に支える支持部としても機能するようになっている。
【００２９】
具体的には、収納ラック４６には、図４に示すように、ベース板４２の上端部４２１と下端部４２２をそれぞれ板厚方向から挟持するガイド溝４６２（４６２ａ、４６２ｂ、４６２ｃ）が、その内側上面と底面に形成され、ベース板４２をこのガイド溝４６２に沿って挿入するとともに、ベース板４２の上下に形成された固定部４２３においてネジ１を介して収納ラック４６と固定することで、各リール４１を回転自在としながらリールモジュール４０を揺動不能に収納ラック４６に固定することができるようになっている。
【００３０】
また、ベース板４２には、モータ４３と、光センサ４４と、照明ユニット４５が固定されているので、モータ４３からのモータ配線４３１と、光センサ４４からのセンサ配線４４１と、ＬＥＤ基板４５２からのＬＥＤ配線４５２１がベース板４２に集結することになる。
そこで、ベース板４２は、これらの配線をリールモジュール４０ごとに配線ケーブルＫ（Ｋａ，Ｋｂ，Ｋｃ）として一つに束ねて、基板ユニット４７に向けて引き出すようなっている。
本実施形態では、収納ラック４６の上面に基板ユニット４７を配置したことから、配線ケーブルＫ（Ｋａ，Ｋｂ，Ｋｃ）は、ベース板４２の上端部４２１側から引き出されるとともに、各リール４１に絡まないように、リール４１の配置された面の反対側の面に沿って引き出されるようになっている。
【００３１】
このように、リールモジュール４０は、ベース板４２の片面側（左側）にリール４１が配置される左右非対称な形態を有することから、引き出される配線ケーブルＫ（Ｋａ，Ｋｂ，Ｋｃ）は、リール４１に絡まらないようにベース板４２に沿って引き出されることになる。
その結果、リールモジュール４０を収納ラック４６に収納した状態では、各配線ケーブルＫは、ベース板４２の配置される側に形成される配線引出部４６５（４６５ａ，４６５ｂ，４６５ｃ）から引き出されることになり、この配線引出部４６５は、ほぼ左右対称に形成される収納ラック４６に対して、本実施形態では右に片寄った位置に配置されることになる（図７参照）。
【００３２】
このような右に片寄った位置に配置される配線引出部４６５から引き出される配線ケーブルＫは、基板ユニット４７に設けられた中継基板４７１に接続されることから、その基板面積が大きければ大きいほど、また、配線ケーブルＫの長さが長ければ長いほど、配線引出部４６５の位置の片寄りを吸収することができるものの、その分製造コストが増大することになる。
そこで、本実施形態のリールユニット４では、配線引出部４６５の位置の片寄りを吸収すべく、中継基板４７１を本発明に係る等距離部４６６に配置することで、各配線ケーブルＫの長さを共通化するとともに、基板面積を極小化可能としてある。以下、その具体的構成について説明する。
【００３３】
本実施形態に係る基板は基板ユニット４７に収められ、この基板ユニット４７は、図６に示すように、中継基板４７１と、基板カバー４７２と、バインダ４７３から構成されている。
中継基板４７１は、所定の配線ケーブルを介して制御部１０と接続される中継基板４７１ａと、所定の配線ケーブルを介して演出制御部２０と接続される中継基板４７１ｂと、を備え、中継基板４７１ａには、さらに、モータ配線４３１と、センサ配線４４１とが接続され、中継基板４７１ｂには、さらに、ＬＥＤ配線４５２１が接続されるようになっている。
これらの中継基板４７１は、それぞれ収納状態にある二つのリールモジュール４０（４０ｂ，４０ｃ）の全幅長に満たない基板幅を有するとともに、ネジ５を介して基板カバー４７２の裏面側に固定されるようになっている。
【００３４】
基板カバー４７２は、中継基板４７１を視認可能な透明色の合成樹脂で成形され、中継基板４７１に実装されたコネクタを除いて中継基板４７１の基板面を覆うようになっている。
この基板カバー４７２には、鉤状の爪部４７２１が形成され、中継基板４７１を固定した状態で、爪部４７２１を収納ラック４６に形成された孔部４６４に係入することで、基板カバー４７２を収納ラック４６に固定することができる。
【００３５】
このような構成からなる基板ユニット４７は、収納ラック４６の上面に設けられている。
収納ラック４６の上面には、上方に突出するフランジ部４６３と、これに連設する把手４６３ａが形成されている。このフランジ部４６３は、収納ラック４６の構造上の強度を高めるために必要な部位であるとともに、把手４６３ａも、リールユニット４の取り扱い及び筐体１ｂへの装着において必要な構造となっている。
【００３６】
さらに、基板ユニット４７は、中継基板４７１の中心Ｓ（横幅方向の中心）が、ほぼ等距離部４６６と重なるように配置されている。
等距離部とは、収納状態にある複数のリールモジュール４０ａ〜４０ｃのうちの両端に位置するリールモジュール４０ａ、４０ｃに対応するそれぞれの配線引出部４６５ａ、４６５ｃから距離が等しい部位であり、具体的には、配線引出部４６５ａ、４６５ｃからの距離の等しい一の直線上の部位となり、本実施形態では、図７に示すように、等距離部４６６がこれに該当することになる。
【００３７】
この等距離部４６６上では、どこでも配線引出部４６５ａ、４６５ｃからの距離は等しくなることから、この等距離部４６６上に中継基板４７１の中心Ｓがほぼ重ねるように中継基板４７１を配置するとともに、この等距離部４６６を目安にして、配線引出部４６５ａ、４６５ｃから引き出される配線ケーブルＫａと配線ケーブルＫｃの長さを定めることで、配線ケーブルＫａと配線ケーブルＫｃの長さが等しくなるのはもちろんのこと、配線引出部４６５ｂはこの等距離部４６６に最も近接するため、配線引出部４６５ａ、４６５ｃと等距離部４６６との間よりも、距離が短いことは明らかであるため、配線ケーブルＫｂの長さを、配線ケーブルＫａと配線ケーブルＫｃの長さに準じることで、全ての配線ケーブルＫａ〜Ｋｃの長さを共通化することができる。
【００３８】
これは、リールモジュールの数が３つのみならず４つ以上であっても同様であり、両端に位置するリールモジュール４０に対応するそれぞれの配線引出部４６５から等しい距離となる等距離部４６６に、基板の中心Ｓがほぼ位置するように基板を配置するとともに、この基板の配置に合わせて、両端部の配線引出部４６５から引き出される配線ケーブルＫの長さを定めるとともに、その他の配線ケーブルＫの長さをこれに準じることで、リールモジュールの数にかかわらず、配線ケーブルＫの長さを共通化することができるのである。
【００３９】
このように、等距離部４６６を目安にして、配線引出部４６５ａ、４６５ｃから引き出される配線ケーブルＫａと配線ケーブルＫｃの長さを定めることで、各配線ケーブルＫを全て共通の長さにできるものの、その長さは、できる限り短い方が、製造コストを低減するうえで望ましい。
そこで、本実施形態では、各配線ケーブルＫの長さをできる限り短くすべく、中継基板４７１を、できる限り配線引出部４６５に近接させて配置してある。
【００４０】
具体的には、中継基板４７１は、その基板面積を、プリントされるプリント配線の幅や、実装されるコネクタなどの電子部品の実装面積を考慮した必要最小限の基板面積としながら、できる限り配線引出部４６５に近接させて配置してある。
前述したように、フランジ部４６３は、収納ラック４６の構造上の強度を高めるために必要な部位であることから、このフランジ部４６３を形成しながら、中継基板４７１は、できる限り配線引出部４６５に近接させつつ、基板カバー４７２がフランジ部４６３と干渉しない位置に配置してある。つまり、中継基板４７１が取り付け可能、かつ、両端に位置するリールモジュール４０ａ、４０ｃに対応するそれぞれの配線引出部４６５ａ、４６５ｃからの距離が最も短くなる部分に中継基板４７１を配置してある。
これにより、この位置に重なる等距離部４６６を目安にして、配線引出部４６５ａ、４６５ｃから引き出される配線ケーブルＫａと配線ケーブルＫｃの長さを定めることで、各配線ケーブルＫを全て共通の長さにできることはもちろん、その長さは、本実施形態のリールユニット４では、最も短いことになる。
【００４１】
さらに、中継基板４７１を、その中心Ｓ（横幅方向の中心）が、ほぼ等距離部４６６と重なるように配置することで、配線引出部の片寄りを吸収するために、みだりにその面積を拡大する必要がなくなるので、コネクタの配置に必要不可欠な必要最小限の基板面積を、等距離部４６６を中心に確保することで、基板のコンパクト化を図ることができる。さらに、基板の面積を小さくすることにより、この基板を覆う基板カバー４７２も小さくすることができ、部品の材料も削減することができる。
【００４２】
また、中継基板４７１に実装された複数のコネクタ４７３は、収納ラック４６に収納された状態にある複数のリールモジュール４０ａ〜４０ｃの並び方向に沿うとともにその並びに従った順序で配置してある。
具体的には、配線ケーブルＫａと接続されるのは、コネクタ４７３ａであり、配線ケーブルＫｂと接続されるのは、コネクタ４７３ｂであり、配線ケーブルＫｃと接続されるのは、コネクタ４７３ｃとなっており、それぞれのコネクタ４７３は、リールモジュール４０ａ〜４０ｃの並び方向に沿うとともにその並びに従った順序で配置されている。これにより、各配線ケーブルＫをその並びに従ったコネクタ４７３と接続することで、簡便に確実な接続が図られる。
【００４３】
また、左リールモジュール４０ａの配線ケーブルＫａと接続されるコネクタ４７３ａは、中継基板４７１の左端部側に配置され、右リールモジュール４０ｃの配線ケーブルＫｃと接続されるコネクタ４７３ｃは、中継基板４７１の右端部側に配置され、中リールモジュール４０ｂの配線ケーブルＫｂと接続されるコネクタ４７３ｂは、コネクタ４７３ａとコネクタ４７３ｃの間に配置してある。
これにより、左右に配置されるコネクタ４７３ａ，４７３ｃは、それぞれに対応する配線引出部４６５ａ、４６５ｃと最も近くなることから、配線ケーブルＫａ，Ｋｃをその分短くすることができる。その結果、共通するすべての配線ケーブルＫａ〜Ｋｃの長さも短くすることができる。
【００４４】
なお、基板は、コネクタの配置に必要不可欠な必要最小限の基板面積を、等距離部４６６を中心に確保するものの、同じ基板面積であれば、なるべくリール幅方向において長い辺を有する矩形状の方が好ましい。これは、基板の両端部側に配置されたコネクタ４７３ａ，４７３ｃを、それぞれに対応する配線引出部４６５ａ、４６５ｃにさらに近づけることができるからである。
これにより、配線ケーブルＫａ，Ｋｃをその分短くすることができ、その結果、共通するすべての配線ケーブルＫａ〜Ｋｃの長さもさらに短くすることができる。また、このときには、コネクタ４７３ｂは、コネクタ４７３ａ，４７３ｃの間にさえ位置すれば、特に等距離部４６６に配置されている必要はない。
【００４５】
以上説明したように、本実施形態のスロットマシン１によれば、収納状態にある複数のリールモジュール４０ａ〜４０ｃのうちの両端に位置するリールモジュール４０ａ、４０ｃに対応するそれぞれの配線引出部４６５ａ、４６５ｃから等しい距離となる等距離部４６６に、その中心Ｓがほぼ位置するように中継基板４７１が配置されるので、各配線ケーブルＫａ〜Ｋｃの長さを、両端に位置するリールモジュール４０ａ、４０ｃに対応するそれぞれの配線引出部４６５ａ、４６５ｃから等距離部４６６までの長さに合わせることで、各配線ケーブルＫａ〜Ｋｃの確実な接続を確保しながら、各配線ケーブルＫａ〜Ｋｃの長さの共通化が図れる。さらに、中継基板４７１を等距離部４６６に配置することで、配線引出部４６５の片寄りを吸収するために、みだりにその面積を拡大する必要がなくなるので、コネクタの配置に必要不可欠な必要最小限の基板面積を、等距離部４６６を中心に確保することで、基板のコンパクト化を図ることができる。
【００４６】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００４７】
例えば、各リールモジュール４０において、ベース板４２の左側にリール４１を配置したが、ベース板４２の右側にリール４１を配置することもできる。
この場合には、リールモジュール４０を収納ラック４６に収納した状態では、各配線ケーブルＫは、ベース板４２の配置される側、すなわち、左に片寄った位置から引き出され、これに伴い、中継基板４７１の配置される位置も左側に片寄ることになる。
【００４８】
また、本実施形態では、各リールモジュール４０からモータ配線４３１と、センサ配線４４１と、ＬＥＤ配線４５２１の三本からなる配線ケーブルＫが引き出されたが、これらを、二又は一のコネクタを用いることで二本又は一本の配線ケーブルＫにまとめることもできる。
また、基板ユニット４７を、収納ラック４６の上面に配置したが、基板の中心Ｓがほぼ等距離部４６６に重なるように配置すれば、収納ラック４６の後面に配置することもできる。
また、本実施形態では、スロットマシンを例に挙げて説明したが、リールユニットを備えるパチンコ機やその他の遊技機にも適用することもできる。
【符号の説明】
【００５０】
１  スロットマシン
２  メダル投入口
３  スタートレバー
４  リールユニット
４０（４０ａ，４０ｂ，４０ｃ）  リールモジュール
４１（４１ａ，４１ｂ，４１ｃ）  リール
４２  ベース板
４３  モータ
４６  収納ラック
４６５（４６５ａ，４６５ｂ，４６５ｃ）  配線引出部
４６６  等距離部
４７１  中継基板
５（５ａ，５ｂ，５ｃ）  停止ボタン
６  表示窓
７  メダル払出装置
８  表示器
９  スピーカ
１０  制御部
２０  演出制御部
Ｋ（Ｋａ，Ｋｂ，Ｋｃ）  配線ケーブル
Ｓ  基板の中心
【図１】
0005849274.tif 000002
【図２】
0005849274.tif 000003
【図３】
0005849274.tif 000004
【図４】
0005849274.tif 000005
【図５】
0005849274.tif 000006
【図６】
0005849274.tif 000007
【図７】
0005849274.tif 000008